(57)【要約】【課題】交換用ペン先の挿入や取り出しが容易となるとともに、交換用ペン先の挿入時や取り出し時において交換用ペン先の損傷を防止できる筆記具用キャップを提供する。【解決手段】本発明の筆記具用キャップ１は、柱状の交換用ペン先５を備える。キャップ本体２を、上端が閉鎖され且つ下端が開口された有底筒体から構成する。ペン先収容筒３を、上端が閉鎖され且つ下端が開口された有底筒体から構成する。キャップ本端の上端部にペン先収容筒３を着脱自在に取り付ける。キャップ本端の上端部にペン先収容筒３を取り付けた際、ペン先収容筒３の下端開口部をキャップ本体２の上端壁２１によって閉鎖し、ペン先収容筒３の内壁とキャップ本体２の上端壁２１とにより、交換用ペン先５が収容可能なペン先収容部４を形成する。ペン先収容部４内に交換用ペン先５を収容した際、ペン先収容部４内面と交換用ペン先５とを非嵌合状態にした。【選択図】  図１
2009262335.tif 000002
【特許請求の範囲】
【請求項１】
柱状の交換用ペン先を備えた筆記具用キャップであって、キャップ本体を、上端が閉鎖され且つ下端が開口された有底筒体から構成し、ペン先収容筒を、上端が閉鎖され且つ下端が開口された有底筒体から構成し、前記キャップ本体の上端部に前記ペン先収容筒を着脱自在に取り付け、前記キャップ本体の上端部に前記ペン先収容筒を取り付けた際、前記ペン先収容筒の下端開口部を前記キャップ本体の上端壁によって閉鎖するとともに、前記ペン先収容筒の内壁と前記キャップ本体の上端壁とにより交換用ペン先が収容可能なペン先収容部を形成し、前記ペン先収容部内に交換用ペン先を収容した際、前記ペン先収容部内面と交換用ペン先とを非嵌合状態にしたことを特徴とする筆記具用キャップ。
【請求項２】
交換用ペン先の側面を、前記ペン先収容筒の内面のみで包囲してなる請求項１記載の筆記具用キャップ。
【請求項３】
前記ペン先収容筒の内面が、小内径部と、該小内径部の下方に形成される大内径部と、該小内径部と該大内径部との間を接続する、下方に向かうに従い内径が大きくなるテーパ部とを備える請求項１または２記載の筆記具用キャップ。
【請求項４】
前記キャップ本体の上端に、前記ペン先収容筒の下端部が挿入可能な挿入孔を設け、前記キャップ本体の上端部に前記ペン先収容筒を取り付けた際、前記挿入孔内面と前記ペン先収容筒の下端部外面とを嵌合させてなる請求項1乃至３のいずれかに記載の筆記具用キャップ。
【発明の詳細な説明】
【技術分野】
【０００１】
本発明は、筆記具用キャップに関する。詳細には、交換用ペン先を備えた筆記具用キャップに関する。
【背景技術】
【０００２】
従来、特許文献１には、キャップ本体外面に、交換用ペン先を保持する閉断面形状を形成するペン先保持部を備え、前記ペン保持部の軸長を交換用ペン先より短く設定した構成が開示されている。また、特許文献１には、ペン先保持部に着脱自在のカバーを装着する構成が開示されている。
【特許文献１】特開２００７−１６０６８０号公報
【発明の開示】
【発明が解決しようとする課題】
【０００３】
前記特許文献１は、ペン先保持部に交換用ペン先が強固に保持されると、ペン先保持部への交換用ペン先の取り付け時やペン先保持部からの交換用ペン先の取り外し時、交換用ペン先外面が損傷するおそれや、交換用ペン先の取り付け及び取り外しが困難となるおそれがある。また、前記特許文献１は、カバーの着脱時、誤って、カバーをペン先に接触させ、ペン先を損傷させるおそれがある。
【０００４】
本発明は、前記従来の問題点を解決するものであって、交換用ペン先の挿入や取り出しが容易となるとともに、交換用ペン先の挿入時や取り出し時において交換用ペン先の損傷を防止できる筆記具用キャップを提供しようとするものである。尚、本発明で、「上」とはキャップ本体の閉鎖側を指し、「下」とはキャップ本体の開口側を指す。また、本発明で、「軸方向」とは、キャップ本体の軸線に沿う方向を指し、「径方向」とは、キャップ本体の軸線に対して垂直な方向を指す。
【課題を解決するための手段】
【０００５】
［１］本願の第１の発明は、柱状の交換用ペン先５を備えた筆記具用キャップであって、キャップ本体２を、上端が閉鎖され且つ下端が開口された有底筒体から構成し、ペン先収容筒３を、上端が閉鎖され且つ下端が開口された有底筒体から構成し、前記キャップ本体２の上端部に前記ペン先収容筒を着脱自在に取り付け、前記キャップ本体２の上端部に前記ペン先収容筒３を取り付けた際、前記ペン先収容筒３の下端開口部を前記キャップ本体２の上端壁によって閉鎖するとともに、前記ペン先収容筒３の内壁と前記キャップ本体２の上端壁とにより交換用ペン先５が収容可能なペン先収容部４を形成し、前記ペン先収容部４内に交換用ペン先５を収容した際、前記ペン先収容部４内面と交換用ペン先５とを非嵌合状態にしたことを要件とする。
【０００６】
前記第１の発明の筆記具用キャップ１は、ペン先収容部４内に交換用ペン先５を収容した際、ペン先収容部４内面と交換用ペン先５とを非嵌合状態にしたことにより、交換用ペン先５をペン先収容筒３内に容易に挿入できるとともに、交換用ペン先５をペン先収容筒３内から容易に取り出すことができ、しかも、交換用ペン先５をペン先収容筒３内に挿入する際や交換用ペン先５をペン先収容筒３内から取り出す際に、ペン先の損傷を防止できる。
【０００７】
尚、本発明で、前記交換用ペン先５は、例えば、繊維加工体、フェルト加工体、合成樹脂の連続気泡体等の多孔質体、または軸方向にインキ導出路を有する合成樹脂の押出成形体等が挙げられる。前記柱状の交換用ペン先５の外形状は、例えば、円柱状、角柱状等が挙げられ、交換用ペン先５の端部が先細形状に形成されてもよい。前記キャップ本体２は、筆記具本体のペン先側に着脱自在に装着される。本発明の交換用ペン先５は、筆記具本体の端部に取り付けられたペン先と交換可能である。
【０００８】
前記「ペン先収容部４内面と交換用ペン先５とを非嵌合状態にする」とは、ペン先の側面と、ペン先収容部４の内面（即ちペン先収容筒３の内壁及びキャップ本体２の上端壁２１）とが、径方向に非嵌合状態（遊挿状態）にあり、且つ、ペン先の両端とペン先収容部４の内面（即ちペン先収容筒３の内壁及びキャップ本体２の上端壁２１）とが、軸方向に非嵌合状態（遊挿状態）にあることをいう。
【０００９】
［２］本願の第２の発明は、前記第１の発明の筆記具用キャップ１において、交換用ペン先５の側面を、ペン先収容筒３の内面のみで包囲してなることを要件とする。
【００１０】
前記第２の発明の筆記具用キャップ１は、交換用ペン先５の側面を、ペン先収容筒３の内面のみで包囲してなることにより、ペン先収容筒３を取り外したとき、ペン先収容筒３の内部に交換用ペン先５を、容易に収容させることができ、さらに、交換用ペン先５をペン先収容部４に収容させる際、交換用ペン先５をペン先収容部４内に、確実に収容させることができ、交換用ペン先５の損傷を回避できる。仮に、交換用ペン先５の側面を、ペン先収容筒３の内面とキャップ本体２の側面とにより包囲する場合、ペン先収容筒３を取り外したとき、ペン先収容筒３またはキャップ本体２側面から交換用ペン先５を脱落させ、交換用ペン先５を紛失させるおそれがあり、また、交換用ペン先５をペン先収容部４に収容させる際、誤って、交換用ペン先５にペン先収容筒３を当てて交換用ペン先５を損傷させるおそれがある。
【００１１】
［３］本願の第３の発明は、前記第１または第２の発明の筆記具用キャップ１において、ペン先収容筒３の内面が、小内径部３１と、該小内径部３１の下方に形成される大内径部３２と、該小内径部３１と該大内径部３２との間を接続する、下方に向かうに従い内径が大きくなるテーパ部３３とを備えることを要件とする。
【００１２】
前記第３の発明の筆記具用キャップ１は、小内径部３１と、該小内径部３１の下方に形成される大内径部３２と、該小内径部３１と該大内径部３２との間を接続する、下方に向かうに従い内径が大きくなるテーパ部３３とを備えることにより、交換用ペン先５の、ペン先収容部４内への不完全な挿入を回避し、交換用ペン先５をペン先収容部４内に確実に収容させることができ、交換用ペン先５の損傷を防止できる。もし、交換用ペン先５がペン先収容部４内に完全に挿入されない状態で、ペン先収容筒３をキャップ本体２に取り付けた場合、交換用ペン先５が損傷するおそれがある。
【００１３】
［４］本願の第４の発明は、前記第１、第２または第３の発明の筆記具用キャップ１において、キャップ本体２の上端に、ペン先収容筒３の下端部が挿入可能な挿入孔２４を設け、キャップ本体２の上端部にペン先収容筒３を取り付けた際、前記挿入孔２４内面とペン先収容筒３の下端部外面とを嵌合させてなることを要件とする。
【００１４】
前記第４の発明の筆記具用キャップ１は、キャップ本体２の上端部にペン先収容筒３を取り付けた際、キャップ本体２の上端の挿入孔２４の内面とペン先収容筒３の下端部外面とを嵌合させてなることにより、ペン先収容筒３の外径をキャップ本体２の外径よりも容易に小さく設定でき、キャップ全体の美観を維持できる。
【発明の効果】
【００１５】
本発明の筆記具用キャップによれば、交換用ペン先の挿入や取り出しが容易となるとともに、交換用ペン先の挿入時や取り出し時において交換用ペン先の損傷を防止できる。
【発明を実施するための最良の形態】
【００１６】
本発明の筆記具用キャップ１の実施の形態を図１乃至図４に示す。
本発明の筆記具用キャップ１は、キャップ本体２と、該キャップ本体２の上端部に着脱自在に取り付けられるペン先収容筒３と、該ペン先収容筒３内に収容される交換用ペン先５とからなる。
【００１７】
・交換用ペン先
前記交換用ペン先５は、繊維加工体、フェルト加工体、合成樹脂の連続気泡体等の多孔質体、軸方向にインキ導出路を有する合成樹脂の押出成形体等からなる。前記交換用ペン先５の外形状は、円柱状または多角柱状であり、端部（一端部または両端部）が先細状に形成される。
【００１８】
・キャップ本体
前記キャップ本体２は、上端が閉鎖され且つ下端が開口された有底円筒体からなり、合成樹脂の成形体より得られる。前記キャップ本体２は、筆記具本体（図示せず）のペン先側に着脱自在に装着される。前記キャップ本体２は、上部が、外筒部２２と内筒部２３の２重筒部からなる。前記内筒部２３は、上端が閉鎖され且つ下端が開口された有底円筒体からなり、内筒部２３の下端がキャップ本体２の下部と一体に連設される。前記外筒部２２は、前記内筒部２３の外面を包囲し、前記外筒部２２の下端が、キャップ本体２の下部と一体に連設される。前記外筒部２２の内面と前記内筒部２３の外面との間に、ペン先収容筒３の下端部が挿入可能な環状の挿入孔２４が形成される。前記挿入孔２４は、キャップ本体２の上端より上方に開放される。
【００１９】
・ペン先収容筒
前記ペン先収容筒３は、上端が閉鎖され且つ下端が開口された有底円筒体からなり、合成樹脂の成形体より得られる。前記ペン先収容筒３の内面は、小内径部３１と、該小内径部３１の下方に形成される大内径部３２と、該小内径部３１と該大内径部３２との間を接続する、下方に向かうに従い内径が大きくなるテーパ部３３とを備える。前記ペン先収容筒３の外面は、下端部に形成された小外径部３４と、該小外径部３４の上方に形成された大外径部３５と、該小外径部３４と該大外径部３５との間に形成された段部３６とを備える。前記ペン先収容筒３を前記キャップ本体２の上端部に取り付けた際、前記ペン先収容筒３の小外径部３４が前記挿入孔２４に挿入され、前記小外径部３４の外面が、キャップ本体２の外筒部２２の内面（または外筒部２２の内面と内筒部２３の外面の両者）に着脱可能に嵌合されるとともに、前記段部３６が、キャップ本体２の外筒部２２の上端に当接される。
【００２０】
・ペン先収容部
ペン先収容筒３をキャップ本体２の上端部に取り付けた際、ペン先収容筒３内面と、キャップ本体２の上端壁２１とにより、ペン先収容部４を構成する。前記ペン先収容部４には、１本の交換用ペン先５が収容される。前記ペン先収容部４の最小内径は、交換用ペン先５の最大外径より大きく設定され、且つ、前記ペン先収容部４の軸方向の長さは、交換用ペン先５の長手方向の全長より大きく設定される。それにより、交換用ペン先５が、ペン先収容部４内面と非嵌合状態でペン先収容部４内に収容される。また、このとき、交換用ペン先５の側面は、ペン先収容筒３の内面のみによって包囲されている。
【００２１】
尚、本発明において、交換用ペン先５は、ペン先収容部４内に複数、収容してもよい。尚、本発明において、ペン先収容筒３に窓孔を設けたり、ペン先収容筒３を透明材料または半透明材料により構成したりすることによって、交換用ペン先５を外部より視認可能に構成してもよい。
【図面の簡単な説明】
【００２２】
【図１】本発明の実施の形態のペン先収容状態を示す縦断面図である。
【図２】図１のＡ−Ａ線断面図である。
【図３】図１のＢ−Ｂ線断面図である
【図４】図１のキャップ本体、ペン先収容筒、及びペン先を分離した状態の縦断面図である。
【符号の説明】
【００２３】
１  筆記具用キャップ
２  キャップ本体
２１  上端壁
２２  外筒部
２３  内筒部
２４  挿入孔
３  ペン先収容筒
３１  小内径部
３２  大内径部
３３  テーパ部
３４  小外径部
３５  大外径部
３６  段部
４  ペン先収容部
５  交換用ペン先
【図１】
2009262335.tif 000003
【図２】
2009262335.tif 000004
【図３】
2009262335.tif 000005
【図４】
2009262335.tif 000006